(57)【要約】  本発明は、靴（１）、特にスポーツシューズであって、底（２）と、該底に結合された靴上部部分（３）とを有しており、底（２）が収容室（４）を有しており、該収容室に緩衝エレメント（５）が取り外し可能に配置される形式のものに関する。靴のばね特性および緩衝特性を改善するために、本発明によれば、収容室（４）が底（２）を、靴（１）の長手方向軸線（Ｌ）に対して横方向でほぼまたは完全に貫通しており、取り外し可能に配置される緩衝エレメント（５）は、プレート状に形成された基体（６）から成っており、該基体は、緩衝部分（８）を配置することができる複数の切欠（７）を有しており、切欠（７）は緩衝エレメント（５）において、緩衝エレメント（５）の高さ（Ｈ）全体にわたって鉛直方向（Ｖ）で延びている。
2007533332.tif 000002
【特許請求の範囲】
【請求項１】
靴（１）、特にスポーツシューズであって、底（２）と、該底に結合された靴上部部分（３）とを有しており、底（２）が収容室（４）を有しており、該収容室に緩衝エレメント（５）が取り外し可能に配置される形式のものにおいて、
収容室（４）が底（２）を、靴（１）の長手方向軸線（Ｌ）に対して横方向でほぼまたは完全に貫通しており、
取り外し可能に配置される緩衝エレメント（５）は、プレート状に形成された基体（６）から成っており、該基体は、緩衝部分（８）を配置することができる複数の切欠（７）を有しており、
切欠（７）は緩衝エレメント（５）において、緩衝エレメント（５）の高さ（Ｈ）全体にわたって鉛直方向（Ｖ）で延びていることを特徴とする靴。
【請求項２】
切欠（７）内に配置するための個々の緩衝部分（８）が、靴（１）もしくは底（２）が所望のばね特性および緩衝特性及び／又は所望の回内運動特性もしくは回外運動特性を有するように選択されている、請求項１記載の靴。
【請求項３】
収容室（４）が底（２）の踵領域に配置されている、請求項１又は２記載の靴。
【請求項４】
切欠（７）が鉛直方向（Ｖ）から見て六角形の形状を有している、請求項１から３までのいずれか１項記載の靴。
【請求項５】
切欠（７）と、相応に緩衝部分（８）とが、鉛直方向（Ｖ）に対して垂直方向から見て円錐形状を有している、請求項１から４までのいずれか１項記載の靴。
【請求項６】
中央の緩衝部分（８´）を収容するための中央の切欠（７´）が緩衝エレメント（５）に配置されていて、中央の切欠（７´）の周りに、別の緩衝部分（８´´）を収容するための複数の、特に６つの別の切欠（７´´）が配置されており、この別の切欠（７´´）は、１つの円軌道に沿って中央の切欠（７´）の中心点の周りに配置されている、請求項１から５までのいずれか１項記載の靴。
【請求項７】
別の切欠（７´´）が、前記円軌道の全周にわたって等距離に配置されている、請求項６記載の靴。
【請求項８】
鉛直方向（Ｖ）での基体（６）の高さ（Ｈ）が、０．３〜２．０ｃｍ、特に０．５〜１．０ｃｍである、請求項１から７までのいずれか１項記載の靴。
【請求項９】
基体（６）及び／又は緩衝部分（８）が、プラスチック、特に熱可塑性合成樹脂、有利にはポリアミド、ポリウレタン、ポリエチレン、ポリプロピレン、ポリブタン、ポリオレフィン、エチレン−ビニル−アセテート、ポリ塩化ビニルまたはこれらのプラスチックのうち少なくとも２つの混合物から成っている、請求項１から８までのいずれか１項記載の靴。
【請求項１０】
基体（６）及び／又は緩衝部分（８）のプラスチック材料が発泡性である、請求項９記載の靴。
【請求項１１】
基体（６）及び／又は緩衝部分（８）の材料が、底（２）の材料よりも高い硬度を有している、請求項９又は１０記載の靴。
【請求項１２】
基体（６）及び／又は緩衝部分（８）のプラスチックがショア硬さ２５Ａ〜４５Ａを有している、請求項１１記載の靴。
【請求項１３】
基体（６）のプラスチックが、緩衝部分（８）のプラスチックよりも低い硬さを有している、請求項１２記載の靴。
【請求項１４】
基体（６）及び／又は緩衝部分（８）の領域の底（２）の材料が半透明または透明である、請求項９から１３までのいずれか１項記載の靴。
【請求項１５】
基体（６）を収容室（４）内に配置された位置において固定する保持部材（９）が設けられている、請求項１から１４までのいずれか１項記載の靴。
【請求項１６】
保持部材（９）がＵ字形に形成されていて、底（２）を下方から把持する、請求項１５記載の靴。
【請求項１７】
底（２）及び基体（６）が、保持部材（９）と形状接続的に協働するための切欠（１０，１１）を有している、請求項１６記載の靴。
【請求項１８】
底（２）が、中間底および該中間底に結合された外側底から成っていて、緩衝エレメント（５）が中間底に配置されている、請求項１から１７までのいずれか１項記載の靴。
【請求項１９】
基体（６）の切欠（７）内に配置されている、選択的に交換するために設けられた、種々異なる硬さを有する複数の緩衝部分（８）から成るシステムを特徴とする、請求項１から１８までのいずれか１項記載の靴。
【請求項２０】
緩衝部分（８）の各硬度に所定の色が対応させられており、この色によって緩衝部分（８）の少なくとも外側表面が着色されている、請求項１９記載の靴。
【発明の詳細な説明】
【技術分野】
【０００１】
本発明は、靴、特にスポーツシューズであって、底と、該底に結合された靴上部部分とを有しており、底が収容室を有しており、該収容室に緩衝エレメントが取り外し可能に配置される形式のものに関する。
【０００２】
このような形式の靴はドイツ連邦共和国特許出願公開第１０２３１８８２号明細書により公知である。ここに記載のスポーツシューズは底を有していて、この底には、ばねエレメントを有した緩衝システムが配置されている。ばねエレメントは線状のスリットばねの形式で形成されている。これは湾曲ワッシャもしくは皿ばねとして形成されていても良い。
【０００３】
ＥＰ０３８７５０５Ｂ１号に記載の靴、特にスポーツシューズまたはリハビリテーションシューズは、ハニカム体から成る少なくとも１つの挿入部分を有する靴底を有している。底の踵ウェッジまたはその他の底部分、例えば中間底への挿入部分の挿入は側方から、スリットまたは相応の側方の開口へと押し込むことにより行われる。スリットまたは側方の開口は外部に対して、カバープレートまたはカバーストリップによって閉じることができる。即ち底は、挿入部分のための収容室を有している。挿入部分は交換可能に形成することができる。挿入部分自体は、ガスが充填された複数のハニカムセルから成っているので、良好な底のばね特性および緩衝特性が得られる。
【０００４】
ドイツ連邦共和国特許出願公開第２９０４５４０号明細書、ドイツ連邦共和国特許出願公開第２９２２１３６号明細書、ドイツ連邦共和国特許出願公開第３０２９２５８号明細書、ドイツ連邦共和国特許出願公開第３４３０８４５号明細書により公知のスポーツシューズはその底に同様に収容室が設けられていて、その収容室に緩衝エレメントを配置することができる。この収容室は、靴長手方向軸線に対して横方向に底を貫通して水平方向に延びる孔であって、この孔には種々異なる硬さのプラスチックピンを差し込むことができ、これにより底のばね特性および緩衝特性に影響を与えることができる。
【０００５】
同様の形式の靴がドイツ連邦共和国特許出願公開第３９２４３６０号明細書、ドイツ連邦共和国実用新案第８８０８６０８号明細書、ＵＳ２０００／０２１７４８３号明細書、ＥＰ０３７５３０６Ａ２号明細書、欧州特許公開第０１４６８４６Ａ１号明細書、ＷＯ０３／０４５１７９Ａ２号明細書、ＷＯ０３／０２６４５３Ａ２号明細書、ＪＰ０９１４０４０６号明細書により公知である。
【０００６】
このような公知の靴、特にスポーツシューズを起点として、本発明の根底をなす課題は、靴、特にスポーツシューズのばね特性および緩衝特性をさらに改良し、靴に最適に所望のばね特性および緩衝特性をもたせることができるように調節可能にすることである。この場合、特に、靴もしくは靴底の回内運動特性もしくは回外運動特性に所望のように影響を与え、個人の要求もしくは希望に適合することができるのが望ましい。
【０００７】
この課題を解決するために本発明の構成では、収容室が底を、靴の長手方向軸線に対して横方向で、ほぼまたは完全に貫通しており、取り外し可能に配置される緩衝エレメントは、プレート状に形成された基体から成っており、該基体は、緩衝部分を配置することができる複数の切欠を有しており、切欠は緩衝エレメントにおいて、緩衝エレメントの高さ全体にわたって鉛直方向で延びているようにした。
【０００８】
これにより、靴の長手方向軸線に対して横方向に緩衝エレメントを挿入することができる、緩衝エレメントのための収容室が形成される。
【０００９】
特に、切欠内に配置するための個々の緩衝部分が、靴もしくは底が所望のばね特性および緩衝特性及び／又は所望の回内運動特性もしくは回外運動特性を有するように選択されている
即ち本発明によれば、緩衝エレメントをプレート状に形成し、この緩衝エレメントに複数の緩衝部分を設け、その材料特性が、靴底のばね特性および緩衝特性に全体として、また靴長手方向軸線の周りのばね剛性に関しても能動的に影響を与えることができるように選択される。靴長手方向軸線の周りのばね剛性に影響を与えることにより、底の回内運動特性もしくは回外運動特性に所望のように影響を与えることができ、個人の要求に合わせることができる。
【００１０】
別の構成では、収容室が底の踵領域に配置されている。
【００１１】
この場合、切欠が鉛直方向から見て六角形の形状を有していても良い。さらに、切欠と、相応に緩衝部分とが、鉛直方向に対して垂直方向から見て円錐形状を有していても良い。
【００１２】
本発明の有利な構成では、中央の緩衝部分を収容するための中央の切欠が緩衝エレメントに配置されていて、中央の切欠の周りに、別の緩衝部分を収容するための複数の、特に６つの別の切欠が配置されており、この別の切欠は、１つの円軌道に沿って中央の切欠の中心点の周りに配置されている。この場合、有利には、別の切欠が、前記円軌道の全周にわたって等距離に配置されている。
【００１３】
鉛直方向での基体の高さが、０．３〜２．０ｃｍ、特に０．５〜１．０ｃｍである。
【００１４】
有利には、基体及び／又は緩衝部分が、プラスチック、特に熱可塑性合成樹脂、有利にはポリアミド、ポリウレタン、ポリエチレン、ポリプロピレン、ポリブタン、ポリオレフィン、エチレン−ビニル−アセテート、ポリ塩化ビニルまたはこれらのプラスチックのうち少なくとも２つの混合物から成っている。この場合、有利には、プラスチック材料は発泡性である。
【００１５】
基体及び／又は緩衝部分の材料が、底の材料よりも高い硬度を有している。この場合、基体及び／又は緩衝部分のプラスチックがショア硬さ２５Ａ〜４５Ａを有している。特に、基体のプラスチックが、緩衝部分のプラスチックよりも低い硬さを有している。
【００１６】
調節されたばね特性および緩衝特性の管理を改善するために、基体及び／又は緩衝部分の領域の底の材料が半透明または透明である。
【００１７】
組み付けられた位置で緩衝エレメントを固定するために、基体を収容室内に配置された位置において固定する保持部材が設けられている。保持部材がＵ字形に形成されていて、底を下方から把持する。底及び基体が、保持部材と形状接続的に協働するための切欠を有している。
【００１８】
底が、中間底および該中間底に結合された外側底から成っていて、緩衝エレメントが中間底に配置されている。
【００１９】
本発明による靴は、基体の切欠内に配置されている、選択的に交換するために設けられた、種々異なる硬さを有する複数の緩衝部分から成るシステムを有していて良い。この場合、有利には、緩衝部分の各硬度に所定の色が対応させられており、この色によって緩衝部分の少なくとも外側表面が着色されている。これにより、靴を個人的な要求に合わせるために、所望の緩衝部分の迅速かつ簡単な選択を行うことができる。
【００２０】
本発明による靴、特にスポーツシューズの構成により、靴底のばね特性および緩衝特性および底の回内運動特性もしくは回外運動特性を個人の要求もしくは希望に適合させることができる。このような適合は迅速かつ簡単に行うことができるので、靴を最適に所望の特性に合わせることができる。
【００２１】
図１にはスポーツシューズ１が示されている。この靴は底２を有していて、この底２は通常のように靴上部部分３に結合されている。この底２は一体的に図示されているが、通常複数の部分部材、例えば中間底と、その中間底の下面に配置された耐摩耗性の外側底から成っている。
【００２２】
底２には、靴１のばね特性および緩衝特性を個々人の要求に合わせて調節することができる緩衝エレメント５が設けられている。緩衝エレメント５はこの場合、収容室４内に取り付けられている。即ち挿入されている。収容室４は、靴１の長手方向軸線Ｌに沿って所定の距離にわたって延びていて、この方向に対して横方向では底２を貫通して延びている。この実施例では、収容室４は底２を完全に貫通していて、これにより左底側面から右底側面に延びる室が形成される。靴１の長手方向軸線Ｌに沿った収容室４の延在は、足中央領域と踵領域との間に緩衝エレメント５が位置するように選択されている。
【００２３】
緩衝エレメント５はプレート状に形成された基体６から成っていて、この基体は複数の切欠７を有している。これらの切欠７は図２に示したように、基体６もしくは緩衝エレメント５の高さＨ全体にわたって延びている。切欠７にはそれぞれ緩衝部分８が挿入されている。これらの緩衝部分８は、所望の硬さと剛性を有したプラスチック材料から成っている。
【００２４】
図１に示したように、中央の切欠７´が基体６に設けられていて、この切欠７´の周りに等距離で１つの円軌道に沿って６つの別の切欠７´´が配置されている。各切欠７，７´，７´´にはそれぞれ緩衝部分８，８´，８´´が設けられている。
【００２５】
緩衝部分８，８´，８´´を備えた基体６は挿入方向Ｅ（図１参照）で収容室４に挿入される。緩衝部分８，８´，８´´の材料特性の選択により、底２のばね特性および緩衝特性が規定される。
【００２６】
この場合、全ての緩衝部分８，８´，８´´が同様でなければならないわけではないことを述べておく。即ち個々の緩衝部分８，８´，８´´、即ち中央の緩衝部分８´と個々の別の緩衝部分８´´とはそれぞれ個別に「モジュール」から選択することができる。これにより、底２のばね特性および緩衝特性を全体として個人的な要求に適合させるだけではなく、底２の回内運動特性および回外運動特性も調節される。例えば、基体６の一方の側方領域に、他方の側方領域におけるよりも硬い緩衝部分８を挿入するならば、その底の側でより僅かな硬さもしくは弾性を有した有利な伸縮特性が得られる。このことは、底２の回内運動特性および回外運動特性に直接作用する。
【００２７】
図１と図２を一緒に見るとわかるように、個々の緩衝部分８，８´，８´´は鉛直方向Ｖで見ると六角形の（hexagonale）基本形を有しているが、高さ方向の延びでは円錐状に拡大していて、切欠７，７´，７´´の対応する形状は相応に形成されている。
【００２８】
緩衝エレメント５が底２に挿入された状態で外れないようにするために、保持部材９が設けられている。保持部材９はＵ字形に形成されていて、底２を下方から把持している。保持部材９は例えば係止ロック（図示せず）で底２に保持されている。
【００２９】
底２および緩衝エレメント５の基体６は、保持部材９と形状接続的に協働する切欠１０，１１を有している。底２に設けられた切欠１０は溝状に、底２の側方領域と、地面に面する領域とに延びている。
【００３０】
靴１は、種々異なる硬さ及び／又は弾性を有する相当数の緩衝部分８が属するシステムとして提供することができる。個々の緩衝部分８には硬さに応じて種々異なる着色をすることができる。例えば種々異なるグレー濃度で着色がなされて良い。
【００３１】
靴を構成するために、靴を履く人によって、システムから所望の硬さを有する緩衝部分８を適当に選択することができる。緩衝部分８は基体６の切欠７に挿入され、このように準備された緩衝エレメント５が収容室４へと挿入されここで位置固定される。これにより靴１のばね特性および緩衝特性ならびに回内運動特性及び回外運動特性は個人的に設定される。
【図面の簡単な説明】
【００３２】
【図１】スポーツシューズと取り出された緩衝エレメントとを示した斜視図である。
【図２】図１のＡ−Ｂ線に沿った断面図である。
【図３】挿入された緩衝エレメントと、これに装着された保持エレメントとを備えたスポーツシューズの後方部分を下方から見た斜視図である。
【符号の説明】
【００３３】
１  靴、  ２  底、  ３  靴上部部分、  ４  収容室、  ５  緩衝エレメント、  ６  基体、  ７  切欠、  ７´  中央の切欠、  ７´´  別の切欠、  ８  緩衝部分、  ８´  中央の緩衝部分、  ８´´  別の緩衝部分、  ９  保持部材、  １０  切欠、  １１  切欠、  Ｌ  長手方向軸線、  Ｈ  緩衝エレメントの高さ、  Ｖ  鉛直方向、  Ｅ  挿入方向
【図１】
2007533332.tif 000003
【図２】
2007533332.tif 000004
【図３】
2007533332.tif 000005
【手続補正書】
【提出日】平成18年1月4日(2006.1.4)
【手続補正１】
【補正対象書類名】特許請求の範囲
【補正対象項目名】全文
【補正方法】変更
【補正の内容】
【特許請求の範囲】
【請求項１】
靴（１）、特にスポーツシューズであって、底（２）と、該底に結合された靴上部部分（３）とを有しており、底（２）が収容室（４）を有しており、該収容室に緩衝エレメント（５）が取り外し可能に配置される形式のものにおいて、
収容室（４）が底（２）を、靴（１）の長手方向軸線（Ｌ）に対して横方向でほぼまたは完全に貫通しており、
取り外し可能に配置される緩衝エレメント（５）は、プレート状に形成された基体（６）から成っており、該基体は、緩衝部分（８）を配置することができる複数の切欠（７）を有しており、
切欠（７）は緩衝エレメント（５）において、緩衝エレメント（５）の高さ（Ｈ）全体にわたって鉛直方向（Ｖ）で延びており、
基体（６）を収容室（４）内に配置された位置において固定する保持部材（９）が設けられていて、該保持部材（９）がＵ字形に形成されていて、底（２）を下方から把持することを特徴とする靴。
【請求項２】
底（２）及び基体（６）が、保持部材（９）と形状接続的に協働するための切欠（１０，１１）を有している、請求項１記載の靴。
【請求項３】
切欠（７）内に配置するための個々の緩衝部分（８）が、靴（１）もしくは底（２）が所望のばね特性および緩衝特性及び／又は所望の回内運動特性もしくは回外運動特性を有するように選択されている、請求項１または２記載の靴。
【請求項４】
収容室（４）が底（２）の踵領域に配置されている、請求項１から３までのいずれか１項記載の靴。
【請求項５】
切欠（７）が鉛直方向（Ｖ）から見て六角形の形状を有している、請求項１から４までのいずれか１項記載の靴。
【請求項６】
切欠（７）と、相応に緩衝部分（８）とが、鉛直方向（Ｖ）に対して垂直方向から見て円錐形状を有している、請求項１から５までのいずれか１項記載の靴。
【請求項７】
中央の緩衝部分（８´）を収容するための中央の切欠（７´）が緩衝エレメント（５）に配置されていて、中央の切欠（７´）の周りに、別の緩衝部分（８´´）を収容するための複数の、特に６つの別の切欠（７´´）が配置されており、この別の切欠（７´´）は、１つの円軌道に沿って中央の切欠（７´）の中心点の周りに配置されている、請求項１から６までのいずれか１項記載の靴。
【請求項８】
別の切欠（７´´）が、前記円軌道の全周にわたって等距離に配置されている、請求項７記載の靴。
【請求項９】
鉛直方向（Ｖ）での基体（６）の高さ（Ｈ）が、０．３〜２．０ｃｍ、特に０．５〜１．０ｃｍである、請求項１から８までのいずれか１項記載の靴。
【請求項１０】
基体（６）及び／又は緩衝部分（８）が、プラスチック、特に熱可塑性合成樹脂、有利にはポリアミド、ポリウレタン、ポリエチレン、ポリプロピレン、ポリブタン、ポリオレフィン、エチレン−ビニル−アセテート、ポリ塩化ビニルまたはこれらのプラスチックのうち少なくとも２つの混合物から成っている、請求項１から９までのいずれか１項記載の靴。
【請求項１１】
基体（６）及び／又は緩衝部分（８）のプラスチック材料が発泡性である、請求項１０記載の靴。
【請求項１２】
基体（６）及び／又は緩衝部分（８）の材料が、底（２）の材料よりも高い硬度を有している、請求項１０又は１１記載の靴。
【請求項１３】
基体（６）及び／又は緩衝部分（８）のプラスチックがショア硬さ２５Ａ〜４５Ａを有している、請求項１２記載の靴。
【請求項１４】
基体（６）のプラスチックが、緩衝部分（８）のプラスチックよりも低い硬さを有している、請求項１３記載の靴。
【請求項１５】
基体（６）及び／又は緩衝部分（８）の領域の底（２）の材料が半透明または透明である、請求項１０から１４までのいずれか１項記載の靴。
【請求項１６】
底（２）が、中間底および該中間底に結合された外側底から成っていて、緩衝エレメント（５）が中間底に配置されている、請求項１から１５までのいずれか１項記載の靴。
【請求項１７】
基体（６）の切欠（７）内に配置されている、選択的に交換するために設けられた、種々異なる硬さを有する複数の緩衝部分（８）から成るシステムを特徴とする、請求項１から１６までのいずれか１項記載の靴。
【請求項１８】
緩衝部分（８）の各硬度に所定の色が対応させられており、この色によって緩衝部分（８）の少なくとも外側表面が着色されている、請求項１７記載の靴。
【国際調査報告】
2007533332.tif 000006
2007533332.tif 000007
2007533332.tif 000008
2007533332.tif 000009
2007533332.tif 000010
2007533332.tif 000011
2007533332.tif 000012
2007533332.tif 000013